(57)【要約】【課題】  コネクタが占用するマスターボード上の空間を効果的に減らした電子モジュールを有するコネクタを提供する。【解決手段】  電子モジュールを有するコネクタに関し、ＩＥＥＥ１３９４のコネクタに適用するものであって、絶縁ケース体１の差込チャネル１３中に突合せ端子２を差込み、突合せ端子２の固定端２３を回路基板３上の複数の接点３１に接続し、回路基板３は突合せ端子２のもう一つの側でスイッチング端子４２を有するスイッチングモジュール４に電気的に接続し、回路基板３およびスイッチングモジュール４を絶縁ケース体１の設置空間中に収納定位し、さらに複数の電子素子を回路基板３上へ定位することにより、コネクタが使用するマスターボード上の占用空間を効果的に減らすことができる。【選択図】  図２
0003106879.tif 000002
【実用新案登録請求の範囲】
【請求項１】
絶縁ケース体、突合せ端子、回路基板およびスイッチングモジュールからなる電子モジュールを有するコネクタであって、
前記絶縁ケース体には突合せ空間が設けられるとともに、前記突合せ空間から離れたもう一つの側には設置空間が設けられ、前記突合せ空間と前記設置空間とを連通する差込チャネルが設けられ、
前記突合せ端子に平らなベース部が設けられるとともに、前記ベース部の一側に突合せ端が設けられ、前記突合せ端から離れたもう一つの側に固定端が設けられ、前記突合せ端子の突合せ端を前記絶縁ケース体の差込チャネルに通し、
前記回路基板には複数の接点が設けられ、前記回路基板の複数の接点は前記突合せ端子の固定端に電気的に接続され、
前記スイッチングモジュールは、複数のスイッチング端子を通す端子ベースを有し、前記スイッチング端子は基部の一側が端子ベース側接合端であり、前記接合端から離れたもう一つの側が固定端であって、該スイッチング端子の固定端を前記回路基板のもう一つの側にある複数の接点に電気的に接続し、前記回路基板と前記スイッチングモジュールとを前記絶縁ケース体の設置空間中に収納するとともに、前記回路基板上に複数の電子素子を定位させることを特徴とする電子モジュールを有するコネクタ。
【請求項２】
前記絶縁ケース体は、設置空間の両側壁面に設けられた挿入溝を有し、前記スイッチングモジュールの端子ベース両側壁面にはこれと対応するツメを有し、前記スイッチングモジュールのツメを前記絶縁ケース体の挿入溝へ挿込んで定位させることを特徴とする請求項１記載の電子モジュールを有するコネクタ。
【請求項３】
前記絶縁ケース体は、前記設置空間の両側壁面に設けられたガイド溝を有し、前記スイッチングモジュールの端子ベース両側壁面にはこれと対応するガイド軌道を有し、前記スイッチングモジュールのガイド軌道を前記絶縁ケース体のガイド溝へ挿込んで定位させることを特徴とする請求項１記載の電子モジュールを有するコネクタ。
【考案の詳細な説明】
【技術分野】
【０００１】
本考案は電子モジュールを有するコネクタに関し、特にＩＥＥＥ１３９４のコネクタへ使用し、絶縁ケース体の設置空間中に回路基板およびスイッチングモジュールを収納し、更に複数の電子素子を回路基板上に定位することにより、コネクタが使用するマスターボード上の占用空間を効果的に減らす技術に関する。
【背景技術】
【０００２】
今日、コンピュータ技術が日々進歩するに伴い、コンピュータへのデータ伝送速度を大幅に向上させる必要性が高まってきた。現在最もよく使用されているＵＳＢ（Universal Serial Bus）インターフェイスには、伝送速度が１．５Ｍｂｐｓおよび１２Ｍｂｐｓの２種類がある。その伝送速度は、パーソナルコンピュータが使用するパラレルポート或いはシリアルポートよりも遥かに速いため、コンピュータ機器および周辺インターフェイスに対する伝送効率は際立って高い。そして、伝送速度が大幅に向上するにつれ、新しい世代のＩＥＥＥ１３９４伝送インターフェイスもそれに合わせて発生し、このＩＥＥＥ１３９４伝送インターフェイスはバスの概念により周辺装置とコンピュータシステムとを接続し、最大で１０２３個のバスを支援することができ、各バスは６３個のノードを有する。また、ＩＥＥＥ１３９４の伝送速度は４００Ｍｂｐｓに達することができるため、画像音声マルチメディア機器、高速ローカルエリアネットワーク、ハードディスクドライブ、光ディスクドライブなどの高速周辺機器との接続における未来規格と考えられ、上述のＵＳＢ伝送インターフェイスを用いることにより低速のキイボード、マウス、ダイヤルアップモデム、ジョイスティック、スキャナーなどの装置を処理することができる。しかし、上述のコネクタ自身の電源および信号は、伝送動作を行うときに容易に電磁干渉が発生した。この電磁干渉は周辺の電子素子或いは回路に電磁干渉を発生させる上、信号伝送にエラーを発生させた。そのため、電磁干渉の抑制と信号の完全性を保持するためにフィルターは必ず設けられなければならなかった。上述のフィルターは、一般にＰＣホストの回路板上に設けられるが、この設計はＰＣホストの回路板空間を占用し、組立てを別々に行わなければならなかったためにコストと時間が多くかかり、依然として改良の必要性があった。
【特許文献１】特開２００４−２０７２４８号公報
【考案の開示】
【考案が解決しようとする課題】
【０００３】
本考案の主な目的は、電子モジュールを有するコネクタにより、これらの問題を解消するとと共にコネクタが占用するマスターボード上の空間を効果的に減らすことにある。
【課題を解決するための手段】
【０００４】
絶縁ケース体の差込チャネル中に突合せ端子を挿入し、突合せ端子の固定端を回路基板上の複数の接点に電気的に接続し、突合せ端子から離れたもう一つの側をスイッチング端子を有するスイッチングモジュールに電気的に接続する。上述の回路基板およびスイッチングモジュールは絶縁ケース体の設置空間中に設置定位され、さらに複数の電子素子を回路基板上へ定位することにより、コネクタが使用するマスタボード上の占用空間を効果的に減らす。
【考案の効果】
【０００５】
本考案の電子モジュールを有するコネクタにより、コネクタが占用するマスターボード上の空間を効果的に減らすことができる。
【考案を実施するための最良の形態】
【０００６】
本考案の上述した目的および効果を達成するために、本考案の技術手段およびその構造を、図面に示した好適な実施例により説明する。
【０００７】
図１および図２は、本考案品の斜視図および分解斜視図である。それらの図から分かるように、本考案は絶縁ケース体１、突合せ端子２、回路基板３およびスイッチングモジュール４からなる。
【０００８】
絶縁ケース体１には突合せ空間１１が設けられるとともに、突合せ空間１１から離れたもう一つの側には設置空間１２が設けられ、突合せ空間１１と設置空間１２とを連通する差込チャネル１３が設けられる。また、絶縁ケース体１は設置空間１２の両側壁面にそれぞれ設けられた挿入溝１１１およびガイド溝１１２を有する。
【０００９】
突合せ端子２に平らなベース部２１が設けられるとともに、ベース部２１の一側に突合せ端２２が設けられ、突合せ端２２から離れたもう一つの側に固定端２３が設けられる。回路基板３には複数の接点３１が設けられる。
【００１０】
スイッチングモジュール４は、端子ベース４１を有し、端子ベース４１は複数のスイッチング端子４２を通す通し溝４１１を有し、スイッチング端子４２は基部４２１の一側に接合端４２２が設けられ、接合端４２２から離れたもう一つの側に折れ曲がった固定端４２３が設けられる。さらに、端子ベース４１の両側壁表面にそれぞれガイド軌道４１２およびツメ４１３を設ける。
【００１１】
図３、図４、図５は、本考案を組合せる前、組合せる時及び組合せた後をそれぞれ示す側面断面図である。それらの図から分かるように、上述した構造により組合せる時は、先ず突合せ端子２を絶縁ケース体１の差込チャネル１３中へ挿入してから、突合せ端子２の突合せ端２２を絶縁ケース体１の差込チャネル１３の外へ露出して絶縁ケース体１の突合せ空間１１中に位置させる。続いて、回路基板３を絶縁ケース体１の設置空間１２中へ設置し、突合せ端子２の固定端２３を回路基板３の複数の接点３１に電気的に接続する。この時、スイッチングモジュール４を絶縁ケース体１の設置空間１２中へ入れ、端子ベース４１のガイド軌道４１２を絶縁ケース体１の設置空間１２に設けられたガイド溝１１２に挿入すると同時に、端子ベース４１のツメ４１３を絶縁ケース体１の設置空間１２に設けられた挿入溝１１１へ挿込んで定位させる。そして、スイッチング端子４２の固定端４２３を回路基板３の複数の接点３１に電気的に接続し、回路基板３およびスイッチングモジュール４を絶縁ケース体１の設置空間１２中に収納すると、複数の電子素子５が絶縁ケース体１の設置空間１２中の回路基板３上へ定位されるため、コネクタが使用するマスターボード上の占用空間を効果的に減らすことができる。
【図面の簡単な説明】
【００１２】
【図１】本考案の実施例を示す斜視図である。
【図２】本考案の実施例を示す分解斜視図である。
【図３】本考案の実施例を組立てる前の状況を示す側面断面図である。
【図４】本考案の実施例を組立てる時の状況を示す側面断面図である。
【図５】本考案の実施例を組立てた後の状況を示す側面断面図である。
【符号の説明】
【００１３】
１      絶縁ケース体
１１    突合せ空間
１１１  挿入溝
１１２  ガイド溝
１２    設置空間
１３    差込チャネル
２      突合せ端子
２１    ベース部
２２    突合せ端
２３    固定端
３      回路基板
３１    接点
４      スイッチングモジュール
４１    端子ベース
４１１  通し溝
４１２  ガイド軌道
４１３  ツメ
４２    スイッチング端子
４２１  基部
４２２  接合端
４２３  固定端
５      電子素子
【図１】
0003106879.tif 000003
【図２】
0003106879.tif 000004
【図３】
0003106879.tif 000005
【図４】
0003106879.tif 000006
【図５】
0003106879.tif 000007